(57)【要約】【課題】フェイスマスクの乾燥を容易に抑制する。【解決手段】化粧用具１００は、化粧料を含浸させて顔面に載置されるシート状のフェイスマスク１０と、化粧料と、のうち少なくともいずれか一方を含む内容物と、内容物が収容されている袋体３０と、備えている。袋体３０は、第１シート部３１及び第２シート部３２と、第１シート部３１と第２シート部３２との周縁部どうしを貼り合わせることにより形成されたシール部３３と、第１シート部３１と第２シート部３２との間隙に形成された内容物の収容領域４９と、を備えている。シール部３３における収容領域４９側の縁辺３４が、人の顔形状の少なくとも一部分に沿う凹凸形状の顔形状部３４ａを含んでいる。【選択図】図１
2018019912.tif 000002
【特許請求の範囲】
【請求項１】
化粧料を含浸させて顔面に載置されるシート状のフェイスマスクと、前記化粧料と、のうち少なくともいずれか一方を含む内容物と、
前記内容物が収容されている袋体と、
を備える化粧用具であって、
前記袋体は、
第１シート部及び第２シート部と、
前記第１シート部と前記第２シート部との周縁部どうしを貼り合わせることにより形成されたシール部と、
前記第１シート部と前記第２シート部との間隙に形成された、前記内容物の収容領域と、
を備え、
前記シール部における前記収容領域側の縁辺が、人の顔形状の少なくとも一部分に沿う凹凸形状の顔形状部を含んでいる化粧用具。
【請求項２】
前記内容物には、前記化粧料と、前記化粧料が含浸している前記フェイスマスクと、が含まれている請求項１に記載の化粧用具。
【請求項３】
前記顔形状部は、人の横顔の外形線のうち、少なくとも、鼻下から口を経て顎先に至る部分と対応する形状に形成されている請求項１又は２に記載の化粧用具。
【請求項４】
前記袋体は、当該袋体を開封するための開封用ノッチを有する請求項１から３のいずれか一項に記載の化粧用具。
【請求項５】
前記袋体の一部分を切除するための切除用ノッチを有し、
前記切除用ノッチを起点として前記袋体の一部分を切除し、前記袋体における残部で顔面を覆うことにより、頭部又は顎の下側が開放した状態となる請求項１から４のいずれか一項に記載の化粧用具。
【請求項６】
前記袋体は、人の耳に係止される耳掛け部を備えている請求項１から５のいずれか一項に記載の化粧用具。
【請求項７】
前記袋体は、開封後の前記袋体により顔を覆った状態で、当該袋体の内部領域と当該袋体の前方の領域とを相互に連通させる通気孔部を形成可能な通気孔形成部を備える請求項１から６のいずれか一項に記載の化粧用具。
【請求項８】
前記内容物には、前記フェイスマスクが含まれ、
前記フェイスマスクは、
第１マスクシート及び第２マスクシートと、
前記第１マスクシートと前記第２マスクシートとの周縁部どうしを貼り合わせることにより形成されたマスク接合部と、
前記第１マスクシートと前記第２マスクシートとの間隙に形成された、人の顔が収容される顔収容領域と、
を備え、
前記第１マスクシート及び前記第２マスクシートにおける前記マスク接合部側とは反対側の縁辺部である開放側縁辺部では、前記第１マスクシートと前記第２マスクシートとが相互に非接合状態となっており、
前記マスク接合部は、人の顔の横顔の外形線のうち、少なくとも、鼻下から口を経て顎先に至る部分に沿う凹凸形状に形成されており、
前記フェイスマスクは、前記マスク接合部が前記顔形状部に沿う配置となって、前記収容領域に収容されている請求項１から７のいずれか一項に記載の化粧用具。
【請求項９】
前記第１シート部及び前記第２シート部における前記顔形状部側とは反対側の縁部の各々は、前記第１マスクシート及び前記第２マスクシートの前記開放側縁辺部をそれぞれ表裏から挟持している挟持部を含んでいる請求項８に記載の化粧用具。
【請求項１０】
化粧料を含浸させて顔面に載置されるシート状のフェイスマスクが収容された袋体を開封する工程と、
前記フェイスマスクを顔面に載置し且つ前記フェイスマスクの上から前記袋体で顔面を覆う工程と、
を備える化粧方法。
【発明の詳細な説明】
【技術分野】
【０００１】
本発明は、化粧用具及び化粧方法に関する。
【背景技術】
【０００２】
一般的なフェイスマスクとしては、液体が含浸可能な不織布等により構成されており、美容液等の化粧料が含浸した状態で、顔面に載置して用いられるタイプのものがある。
【０００３】
一方、特許文献１には、美容料が顔面に塗布された後で、顔面に載置されるタイプのフェイスマスクについて記載されている。このフェイスマスクは、当該フェイスマスクによる保温性を向上させるために、一方の面が、熱反射性に優れた反射面により構成されている。このフェイスマスクは、平坦なシート体により構成され、顔面の目及び口に対応する部分に孔部を有し、顔面の鼻に対応する部分にＵ字状の切り込みを有している。
【先行技術文献】
【特許文献】
【０００４】
【特許文献１】登録実用新案第３１９３６３８号公報
【発明の概要】
【発明が解決しようとする課題】
【０００５】
ところで、化粧料が含浸した不織布等のフェイスマスクを長時間、顔に装着していると、フェイスマスクが乾燥してしまい、肌を十分に保湿できない場合がある。
【０００６】
本発明は、上記の課題に鑑みなされたものであり、フェイスマスクの乾燥を容易に抑制することが可能な化粧用具及び化粧方法に関する。
【課題を解決するための手段】
【０００７】
本発明は、化粧料を含浸させて顔面に載置されるシート状のフェイスマスクと、前記化粧料と、のうち少なくともいずれか一方を含む内容物と、前記内容物が収容されている袋体と、を備える化粧用具であって、前記袋体は、第１シート部及び第２シート部と、前記第１シート部と前記第２シート部との周縁部どうしを貼り合わせることにより形成されたシール部と、前記第１シート部と前記第２シート部との間隙に形成された、前記内容物の収容領域と、を備え、前記シール部における前記収容領域側の縁辺が、人の顔形状の少なくとも一部分に沿う凹凸形状の顔形状部を含んでいる化粧用具を提供するものである。
【０００８】
また、本発明は、化粧料を含浸させて顔面に載置されるシート状のフェイスマスクが収容された化粧用具を開封する工程と、前記フェイスマスクを顔面に載置し且つ前記フェイスマスクの上から前記化粧用具で顔面を覆う工程と、を備える化粧方法を提供するものである。
【発明の効果】
【０００９】
本発明によれば、フェイスマスクの乾燥を容易に抑制することが可能である。
【図面の簡単な説明】
【００１０】
【図１】第１の実施形態に係る化粧用具の開封前の状態を示す図であり、このうち（ａ）は側面図、（ｂ）は（ａ）のＢ−Ｂ線に沿った切断端面図、（ｃ）は（ａ）のＣ−Ｃ線に沿った切断端面図である。
【図２】第１の実施形態に係る化粧用具の開封後の状態を示す図であり、このうち（ａ）は側面図、（ｂ）は（ａ）のＢ−Ｂ線に沿った切断端面図、（ｃ）は（ａ）のＣ−Ｃ線に沿った切断端面図である。
【図３】第１の実施形態に係る化粧用具が備えるフェイスマスクの側面図である。
【図４】第１の実施形態に係る化粧用具が備えるフェイスマスクを示す図であり、このうち（ａ）は図３のＡ−Ａ線に沿った切断端面図、（ｂ）は図３のＢ−Ｂ線に沿った切断端面図、（ｃ）は図３のＣ−Ｃ線に沿った断面図、（ｄ）は図３のＤ−Ｄ線に沿った切断端面図、（ｅ）は図３のＥ−Ｅ線に沿った切断端面図である。
【図５】図５各図は袋体の開封の仕方の例を示す図である。
【図６】図６各図は袋体の収容領域の側面形状の例を示す図である。
【図７】図７各図は袋体の収容領域の側面形状の更に他の例を示す図である。
【図８】第２の実施形態に係る化粧用具の開封前の状態を示す側面図である。
【図９】第２の実施形態に係る化粧用具の開封前の状態を示す図であり、このうち（ａ）は図８のＡ−Ａ線に沿った切断端面図、（ｂ）は図８のＢ−Ｂ線に沿った切断端面図、（ｃ）は図８のＣ−Ｃ線に沿った切断端面図、（ｄ）は図８のＤ−Ｄ線に沿った切断端面図である。
【図１０】第２の実施形態に係る化粧用具の開封後の状態を示す側面図である。
【図１１】第２の実施形態に係る化粧用具の開封後の状態を示す図であり、このうち（ａ）は図１０のＡ−Ａ線に沿った切断端面図、（ｂ）は図１０のＢ−Ｂ線に沿った切断端面図、（ｃ）は図１０のＣ−Ｃ線に沿った切断端面図、（ｄ）は図１０のＤ−Ｄ線に沿った切断端面図である。
【図１２】第３の実施形態に係る化粧用具を示す側面図であり、このうち（ａ）は開封前の状態を、（ｂ）は開封後の状態を、それぞれ示す。
【図１３】第４の実施形態に係る化粧用具を示す側面図であり、このうち（ａ）は開封前の状態を、（ｂ）は開封後の状態を、それぞれ示す。
【図１４】第５の実施形態に係る化粧用具を示す側面図である。
【図１５】第６の実施形態に係る化粧用具を示す側面図である。
【図１６】第７の実施形態に係る化粧用具を示す側面図である。
【図１７】第８の実施形態に係る化粧用具を示す側面図である。
【発明を実施するための形態】
【００１１】
以下、本発明の実施形態について、図面を用いて説明する。なお、すべての図面において、同様の構成要素には同一の符号を付し、重複する説明は適宜に省略する。
【００１２】
〔第１の実施形態〕
先ず、図１から図４を用いて第１の実施形態を説明する。
図１及び図２に示すように、本実施形態に係る化粧用具１００は、化粧料を含浸させて顔面に載置されるシート状のフェイスマスク１０と、化粧料と、のうち少なくともいずれか一方を含む内容物と、内容物が収容されている袋体３０と、を備えている。袋体３０は、第１シート部３１及び第２シート部３２（図１（ｂ）、（ｃ）、図２（ｂ）、（ｃ））と、第１シート部３１と第２シート部３２との周縁部どうしを貼り合わせることにより形成されたシール部３３と、第１シート部３１と第２シート部３２との間隙に形成された内容物の収容領域４９（図１（ｂ）、（ｃ）、図２（ｂ）、（ｃ））と、を備えている。シール部３３における収容領域４９側の縁辺３４が、人の顔形状の少なくとも一部分に沿う凹凸形状の顔形状部３４ａを含んでいる。
化粧料は、美容液、化粧水、乳液、クリーム、ジェル又はクレンジング料などである。
【００１３】
以下、フェイスマスク１０の各部の説明においては、当該フェイスマスク１０が人の顔面に載置された状態で、顔面の前方側となる方向を前、後方側となる方向を後、上方側（脳天側）となる方向を上、下方側（下顎側）となる方向を下と称する（図３参照）。
同様に、袋体３０の各部の説明においては、当該袋体３０が人の顔面を覆った状態で、顔面の前方側となる方向を前、後方側となる方向を後、上方側となる方向を上、下方側となる方向を下と称する（図１（ａ）、図２（ａ）参照）。
【００１４】
本実施形態の場合、１枚の袋体構成シート３０ａを折り返し部３９にて折り返して熱融着を施すことにより構成されている。袋体構成シート３０ａにおいて、折り返し部３９を境界とする２つの部分が、第１シート部３１及び第２シート部３２である。第１シート部３１と第２シート部３２とは互いに同形状に形成されている。第１シート部３１と第２シート部３２は、折り返し部３９にて折り返されて、互いの外形線が一致する状態で重ね合わされ、且つ、第１シート部３１及び第２シート部３２の周縁部のうち折り返し部３９を除く部分が全周に亘って相互に熱融着されている。第１シート部３１と第２シート部３２とが相互に熱融着されることによって、シール部３３が形成されている。
袋体３０において、シール部３３と折り返し部３９とにより囲まれた内部領域（第１シート部３１と第２シート部３２との間隙）が、収容領域４９である。収容領域４９は、第１シート部３１、第２シート部３２、シール部３３及び折り返し部３９によって囲まれた密閉空間である。
袋体３０は扁平に形成されており、収容領域４９は、扁平な領域である。
【００１５】
袋体構成シート３０ａの材料は特に限定されないが、一例として、樹脂層と、金属層と、樹脂層と、がこの順に積層されることにより構成された３層以上の構造とすることができる。金属層を挟む樹脂層は、互いに同じ材料により構成されていても良いし、互いに異なる材料により構成されていても良い。袋体構成シート３０ａの具体的な材料及び層構造の例としては、ポリエチレンテレフタレートの層と、アルミニウム層と、ポリエチレンテレフタレートの層と、の３層構造が挙げられる。また、袋体構成シート３０ａの材料の他の例として、ポリエチレンテレフタレート等の樹脂の少なくとも一方の表面を、アルミニウム蒸着したものや、透明、不透明、又は着色された樹脂を単層又は積層で用いることが挙げられる。
【００１６】
折り返し部３９は、袋体３０の下縁を構成しており、前後に延在している。
シール部３３は、袋体３０における前側の縁部を構成している第１部分３３ａと、袋体３０の上端縁において前後に延在している第２部分３３ｂと、袋体３０の後端縁において上下に延在している第３部分３３ｃと、を含んでいる。
より詳細には、第１部分３３ａは、人の横顔と対応する形状に入り組んだ凹凸形状に形成されており、第２部分３３ｂ及び第３部分３３ｃはそれぞれ直線状に形成されている。
本実施形態の場合、第１部分３３ａにおける収容領域４９側の縁辺３４が、顔形状部３４ａを含んでいる。
【００１７】
顔形状部３４ａは、人の横顔の外形線のうち、少なくとも、鼻下から口を経て顎先に至る部分と対応する形状に形成されている。換言すれば、顔形状部３４ａは、人の横顔の外形線のうち、少なくとも、鼻下から口を経て顎先に至る部分を模した形状に形成されている。
本実施形態の場合、顔形状部３４ａは、人の横顔の額と対応する額部４１と、人の横顔の鼻と対応する鼻部４２と、人の横顔の鼻の下（上顎）と対応する鼻下部４３と、人の横顔の口と対応する口部４６と、人の横顔の下顎の前面側部分と対応する下顎前面部４４と、人の横顔の下顎の下面側部分と対応する下顎下面部４５と、を含んでいる。
より詳細には、額部４１は、袋体３０の前側の上部に配置されており、下方に向けて前方にせり出すように傾斜している。鼻部４２は、額部４１の下側に連接されており、額部４１の下端よりも更に前方に向けて山型に突出している。鼻下部４３は、鼻部４２の下端から下方に延びている。口部４６は、鼻下部４３の下端の下方に連接されており、鼻下部４３よりも後方に向けてＶ字状に凹んでいる。下顎前面部４４は、口部４６の下端から下方に延びている。下顎下面部４５は、下顎前面部４４の下端に連接されており、下方に向けて後退するように傾斜している。
なお、下顎前面部４４と下顎下面部４５との境界部が、顎先と対応する。
【００１８】
本実施形態では、袋体３０には、化粧料と、フェイスマスク１０と、が収容されている。すなわち、内容物には、化粧料と、化粧料が含浸しているフェイスマスク１０と、が含まれている。袋体３０からの化粧料の漏出を抑制するため、袋体３０は密封されている。
ただし、本発明は、この例に限らず、袋体３０には、化粧料とフェイスマスク１０とのうち、化粧料のみが収容されていても良いし、フェイスマスク１０のみが収容されていても良い。
【００１９】
袋体３０は、当該袋体３０を開封するための開封用ノッチ３５を有している。本実施形態の場合、開封用ノッチ３５は、シール部３３の第２部分３３ｂの後端部に形成されている。袋体３０は、開封用ノッチ３５を起点として、容易に開封することができる。
ここで、袋体構成シート３０ａは、成形時の延伸方向に沿って袋体構成シート３０ａを構成する樹脂が配向し、その配向の方向に沿って袋体構成シート３０ａを切断しやすくなる。本実施形態の場合、成形時の延伸方向が上下方向となるようにして、袋体構成シート３０ａが用いられているものとする。このため、開封用ノッチ３５を起点として袋体３０を開封することにより、図１（ａ）に示すように上下に延在する切断ライン５２に沿って袋体３０を容易に切断することができるようになっている。
【００２０】
本実施形態の場合、開封用ノッチ３５は、袋体３０における顔形状部３４ａが配置されている側（前側）とは反対側（後側）に配置されている。このため、開封用ノッチ３５を起点として切断ライン５２に沿って袋体３０を切断することによって、袋体３０における切断ライン５２よりも後側の部分を切除した残部、すなわち袋体３０における切断ライン５２よりも前側の部分が、顔形状部３４ａを含むこととなる。
【００２１】
袋体３０は、開封後の袋体３０により顔を覆った状態で、袋体３０の内部領域と袋体３０の前方の領域とを相互に連通させる通気孔部３６（図２（ａ）、（ｂ））を形成可能な通気口形成部（本実施形態の場合、通気孔形成用ノッチ３７が形成された突出部３８）を備える。通気口形成部に通気孔部３６を形成することにより、袋体３０で顔面を覆った際に、通気孔部３６を通して呼吸することが可能となる。
より詳細には、袋体３０は、鼻部４２が部分的に前方に突出することにより形成された突出部３８を有しており、突出部３８には、当該突出部３８の先端部を切除することにより通気孔部３６を形成するための通気孔形成用ノッチ３７が形成されている。通気孔形成用ノッチ３７は、突出部３８の突出部３８の上縁又は下縁（図１（ａ）の例では上縁）に形成されており、通気孔形成用ノッチ３７を起点として突出部３８を切断することによって、突出部３８の先端部を切除するとともに、通気孔部３６を形成することが可能となっている。
上述のように、成形時の延伸方向が上下方向となるようにして袋体構成シート３０ａが用いられているため、通気孔形成用ノッチ３７を起点として突出部３８を切断することにより、図１（ａ）に示すように上下に延在する切断ライン５３に沿って突出部３８を容易に切断することが可能である。
【００２２】
上述のように、本実施形態の場合、袋体３０にはフェイスマスク１０が収容されている。すなわち、内容物には、フェイスマスク１０が含まれている。
図３又は図４に示すように、フェイスマスク１０は、第１マスクシート１１及び第２マスクシート１２（図４（ａ）〜（ｅ））と、第１マスクシート１１と第２マスクシート１２との周縁部どうしを貼り合わせることにより形成されたマスク接合部１３と、第１マスクシート１１と第２マスクシート１２との間隙に形成された、人の顔が収容される顔収容領域と、を備えている。
本実施形態の場合、マスク接合部１３はフェイスマスク１０の前縁に配置されている。
第１マスクシート１１及び第２マスクシート１２におけるマスク接合部１３側とは反対側の縁辺部（本実施形態の場合、第１マスクシート１１及び第２マスクシート１２における後側の縁辺部）である開放側縁辺部１４では、第１マスクシート１１と第２マスクシート１２とが相互に非接合状態となっている。
マスク接合部１３は、人の顔の横顔の外形線のうち、少なくとも、鼻下から口を経て顎先に至る部分に沿う凹凸形状に形成されている。
図１（ａ）及び図２（ａ）に示すように、フェイスマスク１０は、マスク接合部１３が顔形状部３４ａに沿う配置となって、収容領域４９（図１（ｂ）、（ｃ）、図２（ｂ）、（ｃ））に収容されている。
すなわち、額部２１が額部４１に沿って配置され、鼻部２２が鼻部４２に沿って配置され、鼻下部２３が鼻下部４３に沿って配置され、ノッチ１７が口部４６に沿って配置され、下顎前面部２４が下顎前面部４４に沿って配置され、下顎下面部２５が下顎下面部４５に沿って配置されている。
【００２３】
フェイスマスク１０は、第１マスクシート１１と第２マスクシート１２とが重なる扁平な折り畳み状態となって、収容領域４９に収容されている。
【００２４】
図３又は図４に示すように、第１マスクシート１１及び第２マスクシート１２の各々の開放側縁辺部１４には、後方に向けて突出している突片１５が形成されている。第１マスクシート１１の突片１５と第２マスクシート１２の突片１５とは、互いに異なる位置に配置されている（互いに重なっていない）。したがって、第１マスクシート１１の突片１５は、第２マスクシート１２よりも後方に突出している（図４（ａ））。また、第２マスクシート１２の突片１５は、第１マスクシート１１よりも後方に突出している（図４（ｂ））。
第１マスクシート１１と第２マスクシート１２との各々の突片１５を指で摘まんで、第１マスクシート１１の突片１５を図３の紙面の手前側に引っ張るとともに、第２マスクシート１２の突片１５を図３の紙面の奥側に引っ張ることによって、フェイスマスク１０の後部において第１マスクシート１１と第２マスクシート１２とを相互に離間させて、フェイスマスク１０が後側に開放する開口を有する状態となる。よって、その開口から、フェイスマスク１０の内部に顔を入れることができるようになっている。
フェイスマスク１０は、顔面の形状と対応する立体形状のものであり、顔面に対して良好にフィットする。
【００２５】
第１マスクシート１１と第２マスクシート１２とは、突片１５を除き、互いに同形状に形成されている。第１マスクシート１１と第２マスクシート１２とは、互いの外形線が一致する状態で重ね合わされ、マスク接合部１３において相互に熱融着されている。
【００２６】
より詳細には、マスク接合部１３は、人の横顔の額と対応する額部２１と、人の横顔の鼻と対応する鼻部２２と、人の横顔の鼻の下（上顎）と対応する鼻下部２３と、人の横顔の下顎の前面側部分と対応する下顎前面部２４と、人の横顔の下顎の下面側部分と対応する下顎下面部２５と、を含んでいる。
更に、第１マスクシート１１及び第２マスクシート１２には、人の横顔の目と対応する開口部１６と、人の横顔の口と対応するノッチ１７と、人の横顔の鼻の下縁に沿う切り込み１８と、開放側縁辺部１４の下部に位置する切り込み１９と、が形成されている。
第１マスクシート１１の開口部１６は、第１マスクシート１１の表裏を貫通しており、第２マスクシート１２の開口部１６は第２マスクシート１２の表裏を貫通している（図４（ｃ））。
より詳細には、額部２１は、フェイスマスク１０の前側の上部に配置されており、下方に向けて前方にせり出すように傾斜している。鼻部２２は、額部２１の下側に連接されており、額部２１の下端よりも更に前方に向けて山型に突出している。
切り込み１８は、鼻部２２の下端から後方に向けて延びている。また、鼻部２２の下縁にはマスク接合部１３が形成されていない。このため、フェイスマスク１０を開いたときに、鼻部２２の下側には開口が形成され、この開口を介して呼吸が可能となる。
鼻下部２３は、鼻部２２の下方に位置し、上下方向に沿って延在している（より詳細には、下方に向けて前方にせり出すように傾斜している）。
ノッチ１７は、鼻下部２３の下端の下方に連接されており、鼻下部２３よりも後方に向けてＶ字状に凹んでいる。ノッチ１７の形成箇所にはマスク接合部１３が形成されていない。このため、フェイスマスク１０を開いたときに、ノッチ１７と対応する箇所は開口となり、この開口を介して呼吸が可能となる。
なお、フェイスマスク１０の後縁部に切り込み１９が形成されていることにより、フェイスマスク１０の後部を大きく開くことができ、フェイスマスク１０を顔面に容易に被せることが可能である。
下顎前面部２４は、ノッチ１７の下端から下方に延びている。下顎下面部２５は、下顎前面部２４の下端に連接されており、下方に向けて後退するように傾斜している。
なお、下顎前面部２４と下顎下面部２５との境界部が、顎先と対応する。
このように、マスク接合部１３は、顔形状部３４ａに沿った形状に形成されている。
【００２７】
第１マスクシート１１及び第２マスクシート１２は、それぞれ化粧料を含浸可能な可撓性のシート材により構成されている。
このシート材は、特に限定されないが、繊維シートとすることができる。繊維シートを構成する繊維材料としては、不織布、織布、編み物地若しくはこれらの複合材料、又はこれらと他のシート材との複合材料が挙げられる。
繊維シートとして不織布を用いる場合、その種類は特に限定されないが、スパンレース不織布、メルトブローン不織布、スパンボンド不織布、エアスルー不織布、レジンボンド不織布、ニードルパンチ不織布などを用いることができる。また、これらの不織布の複合体を用いても良い。そのような複合体としては、スパンレース−メルトブローン不織布、スパンボンド−メルトブローン不織布、スパンボンド−メルトブローン−スパンボンド不織布、スパンレース−メルトブローン−スパンレース不織布などが挙げられる。
不織布を構成する繊維としては、熱可塑性の合成繊維、半合成繊維、再生繊維、天然繊維などを用いることができる。合成繊維としては、ポリエチレンやポリプロピレン等のポリオレフィン系繊維、ポリエチレンテレフタレート等のポリエステル系繊維、ポリアミド繊維、アクリル系繊維、ポリ酢酸ビニル、ポリビニルアルコール、ポリビニルブチラール、酢酸ビニル・ビニルピロリドン共重合体等のポリビニル系繊維、ポリスチレン系繊維、これらの樹脂を２種以上ブレンドした繊維、これらの樹脂からなる多成分系複合繊維などを用いることができる。これらの各種繊維は単独で又は２種以上を組み合わせて用いることができる。また、半合成繊維としてはアセテートなどを、再生繊維としてはレーヨン、テンセル、キュプラなどを、天然繊維としてはコットン、麻、シルクなどを、それぞれ用いることができる。
なお、シート材は、多孔質構造を有する樹脂フィルム（オレフィン系樹脂フィルムなど）であっても良い。
【００２８】
次に、化粧用具１００の使用方法の例を説明する。なお、この説明は、本実施形態に係る化粧方法の説明を含んでいる。
【００２９】
袋体３０を開封する前の状態では、図１（ａ）、（ｂ）、（ｃ）に示すように、袋体３０内にフェイスマスク１０が収容されている。袋体３０内には、フェイスマスク１０の他に化粧料が収容されている。このため、フェイスマスク１０には、予め、化粧料が含浸している。
【００３０】
フェイスマスク１０を使用するには、先ず、開封用ノッチ３５を起点として切断ライン５２に沿って袋体３０を切断することにより、袋体３０における切断ライン５２よりも後側の部分を切除し、袋体３０を開封する。
また、通気孔形成用ノッチ３７を起点として切断ライン５３に沿って袋体３０を切断することにより、袋体３０における切断ライン５３よりも前側の部分を切除し、通気孔部３６を形成する（図２（ａ）、（ｂ）、（ｃ））。
【００３１】
次に、袋体３０内のフェイスマスク１０の２つの突片１５を摘まんでフェイスマスク１０を開き、フェイスマスク１０内に顔を挿入することにより、フェイスマスク１０を顔面に載置するとともに、フェイスマスク１０を介して顔面を袋体３０によって覆う。
または、袋体３０からフェイスマスク１０を取り出してから、フェイスマスク１０の２つの突片１５を摘まんでフェイスマスク１０を開き、フェイスマスク１０内に顔を挿入することにより、フェイスマスク１０を顔面に載置する。次に、袋体３０を開き、フェイスマスク１０の上から袋体３０で顔面を覆う。
このように、本実施形態に係る化粧方法は、化粧料を含浸させて顔面に載置されるシート状のフェイスマスク１０が収容された袋体３０を開封する工程と、フェイスマスク１０を顔面に載置し且つフェイスマスク１０の上から袋体３０で顔面を覆う工程と、を備える。
【００３２】
化粧料が含浸しているフェイスマスク１０を顔面に載置するとともにフェイスマスク１０の上から袋体３０で顔面を覆うことにより、フェイスマスク１０の乾燥を抑制することができる。すなわち、通常は廃棄されるだけの袋体３０を有効活用してフェイスマスク１０の保湿を行うことができる。よって、保湿のためのラップ材を別途購入するためのコストが不要である。
また、化粧料が内面に付着している袋体３０によって顔面を覆うことにより、化粧料の廃棄率を低減することができる。また、袋体３０内に残った化粧料を簡単にフェイスマスク１０に含浸させることができるため、このことからも、化粧料の廃棄率を低減することができる。
また、化粧用具１００を薄型に形成することができるため、化粧用具１００の良好な携帯性を実現できる。
【００３３】
以上のような第１の実施形態によれば、化粧料が含浸しているフェイスマスク１０を顔面に載置し且つフェイスマスク１０の上から袋体３０で顔面を覆うことによって、フェイスマスク１０の乾燥を容易に抑制することができる。
シール部３３における収容領域４９側の縁辺３４が、人の顔形状の少なくとも一部分に沿う凹凸形状の顔形状部３４ａを含んでいるので、袋体３０を顔のラインにフィットさせて配置することができるため、フェイスマスク１０を顔面に対して密着させやすくなり、顔面の保湿をより好適に行うことができる。
【００３４】
＜袋体の開封の仕方の例＞
図５各図は袋体３０の開封の仕方の例を示す図である。
なお、図５各図においては、袋体３０のシール部３３が側面視矩形状（収容領域４９を囲む矩形枠状）となっている例を示している。図５各図においては、フェイスマスク１０の図示を省略しているが、上記の第１の実施形態と同様に、袋体３０にフェイスマスク１０が収容されているものとする。
また、上記の第１の実施形態では、１枚の袋体構成シート３０ａの一部分ずつである第１シート部３１と第２シート部３２とを重ね合わせて熱融着することにより袋体３０が構成されている例を説明した。これに対して、図５各図においては、２枚の同形状のシートを重ね合わせて熱融着することにより袋体３０が構成されている例を示している。このため、袋体３０は折り返し部３９を有しておらず、代わりに、シール部３３は、袋体３０の下縁において前後に延在する第４部分３３ｄを含んでいる。
【００３５】
図５（ａ）に示す例においては、上述の第１の実施形態と同様に、開封用ノッチ３５が袋体３０の後側上部に配置されており、袋体３０を切断ライン５２に沿って切断して袋体３０の後縁部を切除し、袋体３０における残部で顔を覆うことができる。
【００３６】
図５（ｂ）に示す例においては、開封用ノッチ３５が袋体３０の前側上部に配置されている。この例では、成形時の延伸方向が前側上部から後側下部に向かう方向（又はその反対方向）となるようにして、袋体３０を構成するシートが用いられているものとする。このため、袋体３０を前側上部から後側下部に向けて切断ライン５２に沿って切断して袋体３０の後側上部を切除し、袋体３０の残部である前側下部を用いて顔面を覆うことができる。ここで、袋体３０の残部である前側下部が顔に沿う形状となっている。図５（ｂ）の例では、袋体３０の残部である前側下部が頭部を覆わないようにできるため、開いた袋体３０を顎の斜め前方下側から顔面にあてがうことによって、袋体３０によって容易に顔面を覆うことができる。また、袋体３０の下部に残った化粧料を無駄なく使用することができる。
このように、図５（ｂ）の例では、化粧用具１００は、袋体３０の一部分を切除するための切除用ノッチ（開封用ノッチ３５）を有し、切除用ノッチを起点として袋体３０の一部分を切除し、袋体３０における残部で顔面を覆うことにより、頭部が開放した状態となる。
なお、袋体３０を後側下部から前側上部に向けて切断しても、図５（ｂ）に示す例と同様の効果が得られる。
【００３７】
図５（ｃ）に示す例においては、開封用ノッチ３５が袋体３０の前側下部に配置されている。この例では、成形時の延伸方向が前側下部から後側上部に向かう方向（又はその反対方向）となるようにして、袋体３０を構成するシートが用いられているものとする。このため、袋体３０を前側下部から後側上部に向けて切断ライン５２に沿って切断して袋体３０の後側下部を切除し、袋体３０の残部である前側上部を用いて顔面を覆うことができる。ここで、袋体３０の残部である前側上部が顔に沿う形状となっているとともに、顎の下側を覆わない形状となっている。
すなわち、図５（ｃ）の例では、化粧用具１００は、袋体３０の一部分を切除するための切除用ノッチ（開封用ノッチ３５）を有し、切除用ノッチを起点として袋体３０の一部分を切除し、袋体３０における残部で顔面を覆うことにより、顎の下側が開放した状態となる。
よって、袋体３０の残部を頭部の斜め前方上側から顔面にあてがうことによって、袋体３０の残部によって容易に顔面を覆うことができる。
なお、袋体３０を後側下部から前側上部に向けて切断しても、図５（ｃ）に示す例と同様の効果が得られる。
【００３８】
図５（ｄ）に示す例においては、上述の第１の実施形態と同様に、開封用ノッチ３５が袋体３０の後側上部に配置されており、袋体３０の後縁部を上下に切断することによって袋体３０を開封することができる。
ただし、袋体３０を前後方向に切断するための１つ又は複数のノッチが形成されている。
より詳細には、図５（ｄ）の例では、袋体３０の前側上部に配置されたノッチ６１と、袋体３０の前側中央部上寄りに配置されたノッチ６２と、袋体３０の前側中央部下寄りに配置されたノッチ６３と、が形成されている。ここで、成形時の延伸方向が前後方向となるようにして、袋体３０を構成するシートが用いられているものとする。このため、目的に応じて、切断の起点とするノッチ６１、６２、６３を選択し、ノッチ６１、６２、６３の各々と対応する切断ライン５４、５５、５６の何れかに沿って袋体３０を前側から後側に向けて切断して袋体３０の一部分を切除し、袋体３０の残部を用いて顔面を覆うことができる。
【００３９】
例えば、切断ライン５６に沿って袋体３０を切断し、袋体３０における切断ライン５６よりも上側の部分で顔面を覆う場合は、顔の上部を重点的にケアすることができる。
すなわち、化粧用具１００は、袋体３０の一部分を切除するための切除用ノッチ（ノッチ６３）を有し、切除用ノッチを起点として袋体３０の一部分を切除し、袋体３０における残部で顔面を覆うことにより、顎の下側が開放した状態となる。
【００４０】
また、切断ライン５５に沿って袋体３０を切断し、袋体３０における切断ライン５５よりも下側の部分で顔面を覆う場合は、顔の下部を重点的にケアすることができる。
また、切断ライン５４に沿って袋体３０を切断し、袋体３０における切断ライン５４よりも下側の部分で顔面を覆う場合は、顔を全体的に袋体３０で覆うことができるとともに、袋体３０で頭部を覆わないようにできるため、顔への袋体３０の装着が容易となる。
なお、図５（ｄ）の例では開封用ノッチ３５及び通気孔形成用ノッチ３７を起点とする袋体３０の切断が困難なことも想定されるため、開封用ノッチ３５及び通気孔形成用ノッチ３７は省略して、切断ライン５２及び切断ライン５３に沿ってはさみ等の切断具を用いて袋体３０を切断するようにしてもよい。
【００４１】
＜袋体の収容領域の形状の例＞
図６各図及び図７各図は袋体３０の収容領域４９の側面形状の例を示す図である。
図６（ａ）に示すように、収容領域４９は、全体形状を矩形状とすることができ、且つ、鼻と対応する部分を小さい矩形状とすることができる。
図６（ｂ）に示すように、収容領域４９は、全体形状を矩形状とすることができ、且つ、鼻と対応する部分を小さい山型（三角形状）とすることができる。
図６（ｃ）に示すように、収容領域４９は、前方に向けて徐々に狭くなる半円形状とすることができる。
図６（ｄ）に示すように、収容領域４９は、前方に向けて徐々に狭くなる釣り鐘型とすることができる。
図６（ｅ）に示すように、収容領域４９は、前方に向けてテーパー状に狭くなる形状とすることができる。
図６（ｆ）に示すように、収容領域４９は、前方に向けて狭くなる等脚台形状とすることができる。
図６（ｇ）に示すように、収容領域４９は、下縁が前方に向けて上り傾斜している台形状とすることができる。
【００４２】
図７（ａ）に示すように、収容領域４９は、上縁が前方に向けて下り傾斜している台形状とすることができる。
図７（ｂ）に示すように、収容領域４９は、上縁が前方に向けて上り傾斜している台形状とすることができる。
図７（ｃ）に示すように、収容領域４９は、前方に向けて徐々に広くなる半円形状とすることができる。
図７（ｄ）に示すように、収容領域４９は、後部が前方に向けて徐々に広くなるホームベース型とすることができる。
図７（ｅ）に示すように、収容領域４９は、矩形の後部が弧状の切欠形状部で切除されたような形状とすることができる。
図７（ｆ）に示すように、収容領域４９は、後部の上縁が後方に向けて下り傾斜している台形状とすることができる。
【００４３】
〔第２の実施形態〕
次に、図８から図１１を用いて第２の実施形態を説明する。
本実施形態に係る化粧用具１００は、以下に説明する点で、上記の第１の実施形態に係る化粧用具１００と相違し、その他の点では、上記の第１の実施形態に係る化粧用具１００と同様に構成されている。
【００４４】
上記の第１の実施形態では、１枚の袋体構成シート３０ａの一部分ずつである第１シート部３１と第２シート部３２とを重ね合わせて熱融着することにより袋体３０が構成されているのに対し、本実施形態では、２枚の同形状のシートである第１シート部３１及び第２シート部３２を重ね合わせて熱融着することにより袋体３０が構成されている。このため、袋体３０は折り返し部３９を有していないとともに、シール部３３は、袋体３０の下縁において前後に延在する第４部分３３ｄを含んでいる。
【００４５】
本実施形態の場合、第１シート部３１及び第２シート部３２における顔形状部３４ａ側とは反対側の縁部の各々は、第１マスクシート１１及び第２マスクシート１２の開放側縁辺部１４をそれぞれ表裏から挟持している挟持部７１を含んでいる。
すなわち、図９（ｂ）及び（ｃ）に示すように、第１シート部３１における顔形状部３４ａ側とは反対側（つまり後方側）の縁部は、断面形状がＺ字状に折り畳まれていることにより、第１マスクシート１１の開放側縁辺部１４を挟持している挟持部７１と、挟持部７１の前端（図９における右端）から後方に向けて延出している後方延出部７２と、を有している。挟持部７１は、開放側縁辺部１４の一方の面に沿って配置されている第１部分７１ａと、開放側縁辺部１４の他方の面に沿って配置されている第２部分７１ｂと、を含んでいる。後方延出部７２は、第２部分７１ｂの前端と連接されており、第２部分７１ｂの前端から折り返して後方に向けて延出している。
同様に、第２シート部３２における顔形状部３４ａ側とは反対側（つまり後方側）の縁部は、断面形状がＺ字状に折り畳まれていることにより、第２マスクシート１２の開放側縁辺部１４を挟持している挟持部７１と、挟持部７１の前端（図９における右端）から後方に向けて延出している後方延出部７２と、を有している。
第１シート部３１の後方延出部７２の後端縁と第２シート部３２の後方延出部７２の後端縁とが相互に熱融着されることによって、シール部３３の第３部分３３ｃが形成されている。
【００４６】
なお、図８のＡ−Ａ線の位置では、図９（ａ）に示すように、第１シート部３１の第１部分７１ａと第２部分７１ｂとが全体に亘って相互に熱融着され、第２シート部３２の第１部分７１ａと第２部分７１ｂとが全体に亘って相互に熱融着され、且つ、第１シート部３１の後方延出部７２と第２シート部３２の後方延出部７２とが全体に亘って相互に熱融着されている。
同様に、図８のＤ−Ｄ線の位置では、図９（ｄ）に示すように、第１シート部３１の第１部分７１ａと第２部分７１ｂとが全体に亘って相互に熱融着され、第２シート部３２の第１部分７１ａと第２部分７１ｂとが全体に亘って相互に熱融着され、且つ、第１シート部３１の後方延出部７２と第２シート部３２の後方延出部７２とが全体に亘って相互に熱融着されている。
【００４７】
本実施形態の場合、図１０及び図１１に示すように袋体３０を開封した状態で、第１シート部３１の挟持部７１と第２シート部３２の挟持部７１とを袋体３０の厚み方向において相互に離間させる（或いは、第１シート部３１の後方延出部７２と第２シート部３２の後方延出部７２とを相互に離間させる）ことにより、第１マスクシート１１の開放側縁辺部１４と第２マスクシート１２の開放側縁辺部１４とを相互に開く（離間させる）ことができる。したがって、突片１５を摘まんでフェイスマスク１０を開かなくても、フェイスマスク１０の中に容易に顔を入れることができる。このため、本実施形態の場合、フェイスマスク１０は、突片１５を備えていなくても良い。
【００４８】
〔第３の実施形態〕
次に、図１２を用いて第３の実施形態を説明する。
本実施形態に係る化粧用具１００は、以下に説明する点で、上記の第１の実施形態に係る化粧用具１００と相違し、その他の点では、上記の第１の実施形態に係る化粧用具１００と同様に構成されている。
【００４９】
本実施形態の場合、袋体３０は、人の耳に係止される耳掛け部８０を備えている。耳掛け部８０は、Ｃ字状ないしはＵ字状の帯状の部材であり、可撓性のシート材により構成されている。
耳掛け部８０の両端の接合部８１の各々が、第１シート部３１の外面に対して接合されることによって、耳掛け部８０が第１シート部３１に取り付けられている。
耳掛け部８０の両端の接合部８１が上下に並んで配置され、耳掛け部８０は、接合部８１から後方に向けて延びている。
図１２（ａ）及び（ｂ）には、第１シート部３１に取り付けられた耳掛け部８０のみを示しているが、第１シート部３１の裏側の第２シート部３２（不図示）にも、同様に耳掛け部８０が取り付けられている。
図１２各図においては、フェイスマスク１０の図示を省略しているが、第１の実施形態と同様に、袋体３０にフェイスマスク１０が収容されているものとする。
【００５０】
本実施形態の場合、図１２（ｂ）に示すように袋体３０を開封した状態で、袋体３０内のフェイスマスク１０を顔面に載置し且つフェイスマスク１０の上から袋体３０で顔面を覆い、且つ、２つの耳掛け部８０をそれぞれ左右の耳に引っ掛けることにより、顔からの袋体３０及びフェイスマスク１０の脱落を抑制することができる。
【００５１】
〔第４の実施形態〕
次に、図１３を用いて第４の実施形態を説明する。
本実施形態に係る化粧用具１００は、以下に説明する点で、上記の第１の実施形態に係る化粧用具１００と相違し、その他の点では、上記の第１の実施形態に係る化粧用具１００と同様に構成されている。
【００５２】
本実施形態の場合も、袋体３０は、人の耳に係止される耳掛け部を備えている。図１３（ａ）に示すように、本実施形態の場合、第１シート部３１には、第１シート部３１の表裏を貫通する耳掛け部形成用スリット８２が形成されている。耳掛け部形成用スリット８２は耳と対応する形状に形成されていることが好ましいが、直線状などの形状であっても良い。
更に、第１シート部３１の外面には、袋体３０内の化粧料が耳掛け部形成用スリット８２から外部に漏出してしまうことを抑制するための密閉ラベル８３が粘着固定されている。密閉ラベル８３は、耳掛け部形成用スリット８２の形成範囲の全域を覆っている。
密閉ラベル８３は、第１シート部３１に対して非粘着とされている非粘着摘まみ部８３ａを有している。非粘着摘まみ部８３ａを摘まんで密閉ラベル８３を第１シート部３１から引き剥がすことにより、密閉ラベル８３を第１シート部３１から容易に剥離除去することができるようになっている。
【００５３】
また、図示は省略するが、第２シート部３２にも、同様に、耳掛け部形成用スリット８２が形成されているとともに、密閉ラベル８３が粘着固定されている。
【００５４】
本実施形態の場合、図１３（ｂ）に示すように、第１シート部３１から密閉ラベル８３を剥離除去することにより、第１シート部３１に耳掛け部を形成することができる。耳掛け部は、耳掛け部形成用スリット８２により第１シート部３１に形成される開口の周囲縁部により構成される。
また、第２シート部３２から密閉ラベル８３を剥離除去することにより、同様に、第２シート部３２に耳掛け部を形成することができる。
図１３（ｂ）に示すように、袋体３０を開封するとともに、第１シート部３１及び第２シート部３２から密閉ラベル８３を剥離除去し、耳掛け部形成用スリット８２により第１シート部３１及び第２シート部３２に形成される開口に耳を挿入して、第１シート部３１及び第２シート部３２における開口の周囲縁部を左右の耳にそれぞれ引っ掛けることにより、顔からの袋体３０及びフェイスマスク１０の脱落を抑制することができる。
【００５５】
〔第５の実施形態〕
次に、図１４を用いて第５の実施形態を説明する。
本実施形態に係る化粧用具１００は、以下に説明する点で、上記の第１の実施形態に係る化粧用具１００と相違し、その他の点では、上記の第１の実施形態に係る化粧用具１００と同様に構成されている。
【００５６】
上記の第１の実施形態（図１）では、袋体３０の上端縁（シール部３３の第２部分３３ｂ）が前後に延在しており、袋体３０の下端縁（折り返し部３９）が上端縁に対して平行に前後に延在している例を説明した。
これに対し、本実施形態の場合は、図１４に示すように、袋体３０の後部に向けて袋体３０の上下寸法が拡大するように、上端縁（第２部分３３ｂ）が傾斜している。
また、本実施形態の場合、袋体３０の下端縁は、折り返し部３９ではなく、シール部３３の第４部分３３ｄとなっている。そして、袋体３０の後部に向けて袋体３０の上下寸法が拡大するように、下端縁（第４部分３３ｄ）も傾斜している。
すなわち、袋体３０の上端縁は、後方に向けて上方に変位するように傾斜しており、袋体３０の下端縁は、後方に向けて下方に変位するように傾斜している。
【００５７】
本実施形態によれば、袋体３０の後部に向けて袋体３０の上下寸法が拡大しているので、袋体３０内に顔を入れやすい。
【００５８】
〔第６の実施形態〕
次に、図１５を用いて第６の実施形態を説明する。
本実施形態に係る化粧用具１００は、以下に説明する点で、上記の第１の実施形態に係る化粧用具１００と相違し、その他の点では、上記の第１の実施形態に係る化粧用具１００と同様に構成されている。
【００５９】
本実施形態の場合、袋体３０には、当該袋体３０の上端縁（シール部３３の第２部分３３ｂ）を水平に切除するためのノッチ１３５と、当該袋体３０の下端縁（折り返し部３９）を水平に切除するためのノッチ１３６と、が形成されている。
ノッチ１３５は、シール部３３の第１部分３３ａの上端部に形成されており、ノッチ１３６は、シール部３３の第１部分３３ａの下端部に形成されている。
【００６０】
本実施形態によれば、化粧用具１００の使用時に袋体３０の上端縁及び下端縁の両方又は一方を切除することによって、袋体３０の上端縁及び下端縁の両方又は一方を開放することができるので、袋体３０内に顔を入れやすくなる。
【００６１】
〔第７の実施形態〕
次に、図１６を用いて第７の実施形態を説明する。
本実施形態に係る化粧用具１００は、以下に説明する点で、上記の第１の実施形態に係る化粧用具１００と相違し、その他の点では、上記の第１の実施形態に係る化粧用具１００と同様に構成されている。
【００６２】
上記の第１の実施形態（図１）では、袋体３０の顔形状部３４ａが口部４６を有する例を説明した。
これに対し、本実施形態の場合、図１６に示すように、袋体３０の顔形状部３４ａは口部４６を有していない。すなわち、本実施形態の場合、顔形状部３４ａの鼻下部４３と下顎前面部４４とがなだらかに連続しており、当該部分が後方に向けてＶ字状に凹んではいない。
よって、本実施形態の場合、袋体３０に顔を入れた際に、袋体３０の口部４６が口の中に入ることがない。
【００６３】
〔第８の実施形態〕
次に、図１７を用いて第８の実施形態を説明する。
本実施形態に係る化粧用具１００は、以下に説明する点で、上記の第２の実施形態に係る化粧用具１００と相違し、その他の点では、上記の第２の実施形態に係る化粧用具１００と同様に構成されている。
【００６４】
上記の第２の実施形態（図８）では、フェイスマスク１０は、第１の実施形態（図３、図４）と同様のものであり、当該フェイスマスク１０の第１マスクシート１１と第２マスクシート１２とを開放側縁辺部１４側において相互に開くことによって、フェイスマスク１０が人の顔形状に沿った立体形状となる。
これに対し、本実施形態の場合、図１７に示すように、フェイスマスク１０は、第１マスクシートと第２マスクシートとを開放側縁辺部１４側において相互に開いても、フェイスマスク１０は平坦なシート状となるようになっている。
本実施形態の場合、フェイスマスク１０は、顔の中心に沿って半分に折り畳まれた（二つ折りされた）状態で袋体３０内に収容されている。
【００６５】
本実施形態の場合も、第２の実施形態（図９（ｂ）、図９（ｃ））と同様に、第１マスクシートの開放側縁辺部１４と第２マスクシートの開放側縁辺部１４とがそれぞれ挟持部７１によって挟持されている。
したがって、袋体３０を開封して２つの挟持部７１を袋体３０の厚み方向において相互に離間させることにより、第１マスクシートの開放側縁辺部１４と第２マスクシートの開放側縁辺部１４とを相互に開き、フェイスマスク１０内に顔を入れることができる。
なお、本実施形態の場合は、図１７に示すように、フェイスマスク１０と袋体３０の顔形状部３４ａとが大きく離間しているため、フェイスマスク１０内に顔を入れた際に、先にフェイスマスク１０に顔面が接触する。その状態で袋体３０を顔に押し当てることによって、フェイスマスク１０が顔にフィットする形状に変化するとともに、上述した他の実施形態と同様に袋体３０をラップのように用いて当該袋体３０によりフェイスマスク１０及び顔を覆うことができる。
【００６６】
本発明は上述の実施形態に限定されるものではなく、本発明の目的が達成される限りにおける種々の変形、改良等の態様も含む。
【００６７】
例えば、上記においては、袋体３０にフェイスマスク１０と化粧料との双方が収容されている例を説明したが、袋体３０にはフェイスマスク１０又は化粧料の一方が収容されていても良い。
フェイスマスク１０と化粧料とのうちフェイスマスク１０のみが袋体３０に収容されている場合も、フェイスマスク１０の保存性を良好にするため、袋体３０は密閉されていることが好ましい。ただし、袋体３０からのフェイスマスク１０の脱落が規制されていれば良く、必ずしも、袋体３０は密閉されていなくても良い。フェイスマスク１０と化粧料とのうちフェイスマスク１０のみが袋体３０に収容されている場合、化粧料は、ボトルなどの別容器に充填した状態で準備すれば良い。袋体３０から取り出したフェイスマスク１０に対して、この別容器の化粧料を含浸させて、フェイスマスク１０及び袋体３０を上記と同様に用いれば良い。
また、フェイスマスク１０と化粧料とのうち化粧料のみが袋体３０に収容されている場合は、フェイスマスク１０は、複数枚が積層された形態で、又は、１枚ずつ個包装された形態で、袋体３０とは別のパッケージに収容した状態で準備すれば良い。このパッケージから取り出したフェイスマスク１０に、袋体３０内の化粧料を含浸させて、フェイスマスク１０及び袋体３０を上記と同様に用いれば良い。
【００６８】
化粧用具１００の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００６９】
上記実施形態は、以下の技術思想を包含する。
＜１＞化粧料を含浸させて顔面に載置されるシート状のフェイスマスクと、前記化粧料と、のうち少なくともいずれか一方を含む内容物と、前記内容物が収容されている袋体と、を備える化粧用具であって、前記袋体は、第１シート部及び第２シート部と、前記第１シート部と前記第２シート部との周縁部どうしを貼り合わせることにより形成されたシール部と、前記第１シート部と前記第２シート部との間隙に形成された、前記内容物の収容領域と、を備え、前記シール部における前記収容領域側の縁辺が、人の顔形状の少なくとも一部分に沿う凹凸形状の顔形状部を含んでいる化粧用具。
＜２＞前記内容物には、前記化粧料と、前記化粧料が含浸している前記フェイスマスクと、が含まれている＜１＞に記載の化粧用具。
＜３＞前記顔形状部は、人の横顔の外形線のうち、少なくとも、鼻下から口を経て顎先に至る部分と対応する形状に形成されている＜１＞又は＜２＞に記載の化粧用具。
＜４＞前記袋体は、当該袋体を開封するための開封用ノッチを有する＜１＞から＜３＞のいずれか一項に記載の化粧用具。
＜５＞前記袋体の一部分を切除するための切除用ノッチを有し、前記切除用ノッチを起点として前記袋体の一部分を切除し、前記袋体における残部で顔面を覆うことにより、頭部又は顎の下側が開放した状態となる＜１＞から＜４＞のいずれか一項に記載の化粧用具。
＜６＞前記袋体は、人の耳に係止される耳掛け部を備えている＜１＞から＜５＞のいずれか一項に記載の化粧用具。
＜７＞前記袋体は、開封後の前記袋体により顔を覆った状態で、当該袋体の内部領域と当該袋体の前方の領域とを相互に連通させる通気孔部を備える＜１＞から＜６＞のいずれか一項に記載の化粧用具。
＜８＞前記内容物には、前記フェイスマスクが含まれ、前記フェイスマスクは、第１マスクシート及び第２マスクシートと、前記第１マスクシートと前記第２マスクシートとの周縁部どうしを貼り合わせることにより形成されたマスク接合部と、前記第１マスクシートと前記第２マスクシートとの間隙に形成された、人の顔が収容される顔収容領域と、を備え、前記第１マスクシート及び前記第２マスクシートにおける前記マスク接合部側とは反対側の縁辺部である開放側縁辺部では、前記第１マスクシートと前記第２マスクシートとが相互に非接合状態となっており、前記マスク接合部は、人の顔の横顔の外形線のうち、少なくとも、鼻下から口を経て顎先に至る部分に沿う凹凸形状に形成されており、前記フェイスマスクは、前記マスク接合部が前記顔形状部に沿う配置となって、前記収容領域に収容されている＜１＞から＜７＞のいずれか一項に記載の化粧用具。
＜９＞前記第１シート部及び前記第２シート部における前記顔形状部側とは反対側の縁部の各々は、前記第１マスクシート及び前記第２マスクシートの前記開放側縁辺部をそれぞれ表裏から挟持している挟持部を含んでいる＜８＞に記載の化粧用具。
＜１０＞化粧料を含浸させて顔面に載置されるシート状のフェイスマスクが収容された袋体を開封する工程と、前記フェイスマスクを顔面に載置し且つ前記フェイスマスクの上から前記袋体で顔面を覆う工程と、を備える化粧方法。
【符号の説明】
【００７０】
１０  フェイスマスク
１１  第１マスクシート
１２  第２マスクシート
１３  マスク接合部
１４  開放側縁辺部
１５  突片
１６  開口部
１７  ノッチ
１８、１９  切り込み
２１  額部
２２  鼻部
２３  鼻下部
２４  下顎前面部
２５  下顎下面部
３０  袋体
３０ａ  袋体構成シート
３１  第１シート部
３２  第２シート部
３３  シール部
３３ａ  第１部分
３３ｂ  第２部分
３３ｃ  第３部分
３３ｄ  第４部分
３４  縁辺
３４ａ  顔形状部
３５  開封用ノッチ
３６  通気孔部
３７  通気孔形成用ノッチ
３８  突出部
３９  折り返し部
４１  額部
４２  鼻部
４３  鼻下部
４４  下顎前面部
４５  下顎下面部
４６  口部
４９  収容領域
５１  開口
５２  切断ライン
５３  切断ライン
５４  切断ライン
５５  切断ライン
５６  切断ライン
６１  ノッチ
６２  ノッチ
６３  ノッチ
７１  挟持部
７２  後方延出部
８０  耳掛け部
８１  接合部
８２  耳掛け部形成用スリット
８３  密閉ラベル
８３ａ  非粘着摘まみ部
１００  化粧用具
１３５、１３６  ノッチ
【図１】
2018019912.tif 000003
【図２】
2018019912.tif 000004
【図３】
2018019912.tif 000005
【図４】
2018019912.tif 000006
【図５】
2018019912.tif 000007
【図６】
2018019912.tif 000008
【図７】
2018019912.tif 000009
【図８】
2018019912.tif 000010
【図９】
2018019912.tif 000011
【図１０】
2018019912.tif 000012
【図１１】
2018019912.tif 000013
【図１２】
2018019912.tif 000014
【図１３】
2018019912.tif 000015
【図１４】
2018019912.tif 000016
【図１５】
2018019912.tif 000017
【図１６】
2018019912.tif 000018
【図１７】
2018019912.tif 000019